(57)【要約】【課題】  標識の有無にかかわらず、ポンプ光の励起で生じる複数の物理現象を同時に観測する。【解決手段】  光学測定装置は、試料を励起するポンプ光を出力する第１光源と、波長の異なる２以上のプローブ光を出力する第２光源と、前記２以上のプローブ光を結合させるビームコンバイナと、前記ポンプ光と結合された前記２以上のプローブ光を試料に導く光学系と、前記ポンプ光で励起された前記試料を透過した、または反射した前記２以上のプローブ光を前記波長ごとに検出する光検出器と、前記光検出器から出力されるプローブ信号をロックイン検出して前記試料に生じた２以上の物理現象を同時かつ個別に検出するロックイン増幅器と、を有する。【選択図】図１
2017036925.tif 000002
【特許請求の範囲】
【請求項１】
試料を励起するポンプ光を出力する第１光源と、
波長の異なる２以上のプローブ光を出力する第２光源と、
前記２以上のプローブ光を結合させるビームコンバイナと、
前記ポンプ光と、結合された前記２以上のプローブ光を試料に導く光学系と、
前記ポンプ光で励起された前記試料を透過した、または反射した前記２以上のプローブ光を前記波長ごとに検出する光検出器と、
前記光検出器から出力されるプローブ信号をロックイン検出して、前記試料に生じた２以上の物理現象を同時かつ個別に検出するロックイン増幅器と、
を有することを特徴とする光学測定装置。
【請求項２】
前記２以上の物理現象の測定モードを選択するモード選択部、
をさらに有し、
前記モード選択部は、前記ポンプ光の入射により前記試料に生じる誘導放出利得、誘導放出蛍光強度減少、光熱屈折率変化、または誘導放出寿命を測定するモードを有することを特徴とする請求項１に記載の光学測定装置。
【請求項３】
前記第１光源は、波長の異なる２以上のポンプ光を出力し、
前記ビームコンバイナは、前記２以上のポンプ光を結合し、
前記２以上のプローブ光のうちの１のプローブ光で、前記２以上のポンプ光の照射により生じる異なる光熱屈折率変化または異なる誘導放出寿命を同時かつ個別に測定することを特徴とする請求項１に記載の光学測定装置。
【請求項４】
前記２以上のプローブ光と、前記２以上のポンプ光は、それぞれ異なる変調周波数で強度変調されており、
前記ロックイン増幅器は、前記２以上のポンプ光の各々と、前記１のプローブ光とのビート周波数を検出することを特徴とする請求項３に記載の光学測定装置。
【請求項５】
前記２以上のプローブ光と、前記ポンプ光は、それぞれ異なる変調周波数で強度変調されており、
前記ロックイン増幅器は、前記２以上のプローブ光の各々と、前記ポンプ光とのビート周波数を検出することを特徴とする請求項１に記載の光学測定装置。
【請求項６】
前記光検出器から出力されたプローブ信号と、対応するプローブ光を分岐した参照光の信号の強度比を一定にして差分を検出するバランス検出器、
をさらに有し、前記ロックイン増幅器は、前記バランス検出器の出力をロックイン検出することを特徴とする請求項１〜５のいずれか１項に記載の光学測定装置。
【請求項７】
前記第２光源は、２以上の単色レーザーを有することを特徴とする請求項１〜６のいずれか１項に記載の光学測定装置。
【請求項８】
前記第１光源は、２以上の単色レーザーを有することを特徴とする請求項３〜７のいずれか１項に記載の光学測定装置。
【請求項９】
第１光源から試料を励起するポンプ光を出力し、
第２光源から波長の異なる２以上のプローブ光を出力し、
前記２以上のプローブ光を結合させ、
前記ポンプ光と、結合された前記２以上のプローブ光を試料上に走査し、
前記ポンプ光で励起された前記試料を透過した、または反射された前記２以上のプローブ光を前記波長ごとに検出し、
検出されたプローブ信号をロックイン検出して、前記２以上のプローブ光で、前記ポンプ光の入射により前記試料に生じた２以上の物理現象を、同時かつ個別に測定する、
ことを特徴とする光学測定方法。
【請求項１０】
前記２以上の物理現象の測定モードの入力に応じて、前記ポンプ光の入射により生じる誘導放出利得、誘導放出蛍光強度減少、光熱屈折率変化、及び誘導放出寿命のうちの少なくとも２つを同時に測定することを特徴とする請求項９に記載の光学測定方法。
【発明の詳細な説明】
【技術分野】
【０００１】
本発明は、ポンプ光とプローブ光を用いて２以上の物理現象を同時に観測する同時多モードの光学測定に関する。
【背景技術】
【０００２】
ポンプ−プローブ法は、ポンプ光パルスの照射により励起された試料に生じた変化をプローブ光（測定光）で観測する手法である。ポンプ光とプローブ光を２次元的に走査することで、生体細胞等の顕微イメージングが可能である。
【０００３】
生体の生理過程や病理過程は、生体内の多種の関連分子がかかわる複雑で巧妙な機序に基づいて進行している。これらを顕微鏡検査で解明するには、生体内で互いに関連する分子の相関的な挙動を測定、観察することが望ましい。
【０００４】
現行の光イメージングの手法で関連分子の相関的挙動を観察する場合、複数の波長の光で非同時または順次に試料を励起し、各励起によって得られた各データを解析することで多色イメージングを得ている。
【０００５】
レーザーを用いた生体試料の顕微イメージングには、通常、蛍光プローブが利用される。しかし、自然放出蛍光はスペクトル幅が広いため、複数の異なる蛍光プローブ光が存在する場合は、スペクトルの重なり（クロストーク）により複数情報の分離が困難である。
【０００６】
なお、レーザー走査にともなう信号光と参照光の強度比の変動を解消して測定精度を向上する方法が知られている（たとえば、特許文献１）。この手法は、ポンプ−プローブ法にオートバランス検出を適用して信号光と参照光の強度比を一定にし、光ノイズを効率的に除去するものである。
【０００７】
また、ポンプ光により励起された試料を透過したプローブ光を、プローブ光の径方向に沿って（ドーナツ状に）空間的に分離し、２つのセグメントの光成分の差分を検出する手法が提案されている（たとえば、非特許文献２参照）。
【先行技術文献】
【特許文献】
【０００８】
【特許文献１】国際公開公報第２０１５／０３０２０２号
【非特許文献２】J. Miyazaki, H. Tsurui, K. Kawasumi, and T. Kobayashi, Sensitivity enhancement of photothermal microscopy with radially segmented balanced detection, Opt. Lett., 40, 4, 479-482, 2015, Selected as a topic in the Virtual Journal for Biomedical Optics (VJBO)
【発明の概要】
【発明が解決しようとする課題】
【０００９】
従来の多色イメージングには、以下の問題がある。(i)波長切り替えやクロストークの問題により、リアルタイムの同時多色測定が困難である。(ii)何度も異なった波長で励起することから、試料が劣化するおそれがある（光毒による試料の劣化）。(iii)ほとんどの手法が蛍光性物質により標識されたシグナル分子やタンパク質をイメージングしており、標識できない場合には、それらを可視化することができない。
【００１０】
そこで、標識の有無にかかわらず、ポンプ光の励起で生じる複数の物理現象を同時に観測できる構成と手法を提供することを課題とする。
【課題を解決するための手段】
【００１１】
上記課題を解決するために、光学測定装置は、
試料を励起するポンプ光を出力する第１光源と、
波長の異なる２以上のプローブ光を出力する第２光源と、
前記２以上のプローブ光を結合させるビームコンバイナと、
前記ポンプ光と、結合された前記２以上のプローブ光を試料に導く光学系と、
前記ポンプ光で励起された前記試料を透過した、または反射した前記２以上のプローブ光を前記波長ごとに検出する光検出器と、
前記光検出器から出力されるプローブ信号をロックイン検出して、前記試料に生じた２以上の物理現象を同時かつ各々弁別して検出するロックイン増幅器と、
を有する。
【発明の効果】
【００１２】
標識の有無にかかわらず、ポンプ光の励起で生じる複数の物理現象を同時に観測することが可能になる。
【図面の簡単な説明】
【００１３】
【図１】実施形態の光学測定装置の構成図である。
【図２】誘導放出に伴う物理現象を説明する図である。
【図３】実施形態の解像特性を従来の光学顕微鏡と比較して示す図である。
【図４】二色プローブによるアンミクシング（蛍光分離）を示す図である。
【図５】図１の光学測定装置の誘導放出顕微イメージである。
【図６】図１の光学測定装置の蛍光強度減少測定（ＳＥＩＦＩＲ）による顕微イメージを従来の蛍光イメージと比較して示す図である。
【図７】図１の光学測定装置の光熱屈折率変化測定（ＰＴＭ）による三次元イメージである。
【図８】図１の光学測定装置のＰＴＭ法による同時多色イメージングを、従来の顕微鏡による明視野像と比較して示す図である。
【図９】図１の光学測定装置の使用モードで測定可能な対象を示す図である。
【発明を実施するための形態】
【００１４】
図１は実施形態の光学測定装置１の概略構成図である。実施形態では、異なる波長の複数のプローブ光及び／または異なる波長の複数のポンプ光を組み合わせて、２種類以上の現象をリアルタイムで同時に測定する。この明細書と特許請求の範囲で、「同時」に測定という場合は、複数のプローブ光または複数のポンプ光の試料への入射をほぼ同時に行うことを意味し、光路長の相違やばらつきによるわずかな誤差や遅延も含まれるものとする。この場合に、誤差・遅延の許容範囲は信号となる減少の持続時間に光が進む距離である。具体的には、蛍光現象の場合には、３０センチメートル、光熱の場合には、３００メートルである。従って、ほとんどその影響は問題にならない。
【００１５】
光学測定装置１は、測定部２と制御部３を有する。制御部３は必ずしも光学測定装置１に設ける必要はなく、汎用ＰＣ等の外部の制御機器を接続して用いてもよい。
【００１６】
光学測定装置１の測定部２は、光源１１−１〜１１−５を有する。光源１１−１〜１１−５は、ダイオードレーザーまたは半導体パルスレーザーであり、それぞれ異なる波長の光を出力する単色レーザーである。図１の例では、光源１１−１〜１１−４をプローブ光源として用い、光源１１−５をポンプ光源として用いている。光源１１−１〜１１−４から出力される各波長のプローブ光の強度は、それぞれ異なる変調周波数ｆｐｒ１、ｆｐｒ２、ｆｐｒ３、ｆｐｒ４で変調されている。光源１１−５から出力されるポンプ光の強度は変調周波数ｆｐｕで変調されている。変調手段は特に図示しないが、光源１１−１〜１１−５の内部にそれぞれの変調周波数に対応する信号生成器を組み込んでもよいし、外部から変調駆動信号を印加してもよい。光源１１−１〜１１−４から出力されるプローブ光と、光源１１−５から出力されるポンプ光は、ビームコンバイナ１５で合成され、光分離器１６によって走査光学系４０に導かれて試料１０上を走査する。
【００１７】
ビームコンバイナ１５は、ビームカプラ１５１〜１５５で特定の色（波長）の光を反射する。自動制御のビームカプラ１５１〜１５５を用いることで、各々強度変調をかけたプローブ光と、ポンプ光を高精度かつ安定して接合する。ビームカプラ１５１〜１５５として、たとえば誘電体多層膜のダイクロイックミラーを用いてもよい。
【００１８】
光分離器１６には、偏光ビームスプリッタ（ＰＢＳ：Polarization Beam Splitter）、音響光学波長可変フィルタ（ＡＯＴＦ：Acousto-Optics Tunable Filter）などを用いることができる。光分離器１６は、入射光を走査光学系４０に反射するとともに、試料１０から戻って来たプローブ光（戻りプローブ光）を透過する。なお、図示は省略するが、光分離器１６とダイクロイックミラー３５の間にフィルタが挿入されており、試料１０からの戻り光に含まれるポンプ光はカットされる。試料１０からの戻りプローブ光は、光電子倍増管（ＰＭＴ：Photomultiplier Tube）３７で電気信号に変換され、モニタされる。
【００１９】
走査光学系４０は、走査速度を上げるために２組のガルバノミラー１８，１９を用いている。光分離器１６からの合波をミラー１７でガルバノミラー１８と１９に導き、Ｘ方向とＹ方向に走査する。ガルバノミラー１８，１９は、たとえば１ｋＨｚの速度でレーザー光（合波）を掃引する。走査光はレンズ２０で集光され、対物レンズ２１を介して試料１０に入射する。ポンプ−プローブ光の二次元走査で、試料１０の２次元像を観測することができる。さらに、試料１０を保持するステージ（不図示）を光軸方向（Ｚ方向）に沿って移動することで試料１０の３次元像を観測できる。
【００２０】
試料１０の中の分子は、ポンプ光の照射によって励起される。４色のプローブ光は、励起光の吸収により生じる異なる物理現象や変化を測定する。観測される物理現象については後述する。試料１０を透過した光は、コンデンサレンズ２２で集光され、コリメートされる。透過光のうち、ポンプ光は図示しないフィルタでカットされ、試料１０の変化情報をのせた４色のプローブ光がビームカプラ２５に導かれる。ビームカプラ２５は、特定の波長の光だけを反射させるダイクロイックミラー２５１〜２５４で各波長のプローブ光を分離する。分離された各色の光は対応する光検出器（ＰＤ：Photo Detector）２７−１〜２７−４で検出され、電気信号が対応する自動バランス検出器３０−１〜３０−４の第１入力端子に接続される。
【００２１】
光源１１−１〜１１−４の出力光の一部は、ビームスプリッタ１３−１〜１３−４で分岐され、参照光として用いられる。各波長の参照光は対応する光検出器（ＰＤ）２９−１〜２９−４で検出され、電気信号が自動バランス検出器３０−１〜３０−４の第２入力端子に接続される。自動バランス検出器３０−１〜３０−４は、参照信号とプローブ信号に位相をわずかにずらして強度比を一定にし、参照信号とプローブ信号の符号を反転して差分をとることで、参照信号とプローブ信号に含まれるノイズをキャンセルする。このオートバランス処理は、単純に参照信号とプローブ信号の差分をとる一般的なバランス処理とは異なる。自動バランス検出器３０−１〜３０−４のオートバランス処理により、プローブ信号に含まれる試料情報が高精度に抽出できる。各波長のプローブ信号は、対応するロックイン増幅器３２−１〜３２−４でロックイン検出される。
【００２２】
実施例では、試料１０で生じた異なる現象を同時検出するために、試料１０で反射され光分離器１６を透過した戻りプローブ光のうち、所望の波長のプローブ光をダイクロイックミラー３５で取り出して、光検出器（ＰＤ）３８で検出する。光検出器３８で検出されたプローブ信号は、たとえば、光熱屈折率変化の測定に用いることができる。光源１１−１から出力されたプローブ光の戻り光を光検出器３８で検出する場合は、この検出信号を自動バランス検出器３０−１の第３入力端子に接続し、検出信号と参照信号との間でオートバランス処理を行う。
【００２３】
なお、図示の複雑化を避けるため結線は省略するが、誘導放出の際に生じる蛍光強度の減少を観測する場合は、試料１０で反射されＰＭＴ３７で検出された蛍光を、自動バランス検出器３０を通さずに、直接ロックイン増幅器３２で検出する。
【００２４】
ロックイン増幅器３２−１〜３２−４の出力は、制御部３の画像処理部４に入力され、座標（画素）ごとに画像変換され、任意の表示装置で表示される。制御部３はまた、モード選択部５を有し、２以上の異なる物理現象の同時観測を可能にする。
【００２５】
複数の物理現象によるイメージングとして、以下の手法が挙げられる。
（１）誘導放出利得（ＳＥＩＧ：Stimulated Emission Induced Gain）によるイメージンング：この方法は、誘導放出によるプローブ光の増幅を検出するイメージング法である。後述するように、誘導放出はポンプ光とプローブ光の強度の積に比例するので、ポンプ光の空間パターンを工夫することにより、従来の蛍光顕微鏡と比べて解像度を約２倍向上させて、高解像を実現することができる。（ポンプ波長１つ、プローブ波長１以上）
（２）誘導放出誘起蛍光強度減少（ＳＥＩＦＩＲ：Stimulated Emission Induced Fluorescence Intensity Reduction）によるイメージング：この方法は、誘導放出による蛍光強度の減少（蛍光消失）をロックイン増幅器を使って検出するイメージング法である。通常のレーザー走査共焦点蛍光顕微鏡と同様の配置で蛍光を検出するが、ポンプ光の空間パターンを工夫することで、従来の蛍光イメージングと比べて解像度を約２倍向上することができる。また、試料１０上の焦点以外の背景信号を除去することで高コントラスト象を得ることができる。（ポンプ波長１つ、プローブ波長１つ以上）
（３）光熱屈折率変化測定（ＰＴＭ：Photo Thermal Microscopy）によるイメージング：この方法は、ポンプ光で励起された分子近傍の温度上昇などに伴う微小な屈折率変化をプローブ光の透過率変化として検出するイメージング法である。分子に吸収されたポンプ光が熱に変換されるフォトサーマル効果を利用した手法である。ＳＥＩＧと同じ光学系で検出することができる。この場合、ＳＥＩＧとは異なる変調周波数を用い、試料１０の透過後のプローブ光を集めるコンデンサレンズ２２のアイリス径を変えて開口数を調整するだけでよい。ＳＥＩＧと同様の高解像度を達成することができ、かつ金属ナノ粒子やカーボン材料のような無蛍光、弱蛍光性の物質や、メラニン、ヘモグロビン等の光吸収係数が大きくて発光効率の低い生体分子も検出することができる。（ポンプ波長１以上、プローブ波長１つ）
（４）誘導放出寿命（ＳＬＩＭ：Stimulated emission Lifetime Imaging Microscopy）によるイメージング：この方法は、上述した（１）〜（３）の方法のいずれかにおいて、プローブ光の変調周波数を変えながら検出信号の振幅応答、または位相応答を測定することで、光励起状態寿命や熱拡散定数などの時間分解情報を得る方法である。信号の変調周波数応答から光励起ダイナミクスの情報を得ることができる。励起状態寿命をτ、変調周波数をω、位相応答をΔφ、振幅応答をＡとすると、
Δφ＝ｔａｎ−１（ωτ）
Ａ＝１／［（１＋（ωτ）２）］１／２
で表すことができる。利得変調によるダイオードレーザーの最大変調周波数は数ＧＨｚであるため、位相シフト法による実効的時間分解能は、１００ピコ秒以下となる。ポンプ光の変調周波数を変えることで、異なる寿命の複数の蛍光色素を同時検出して、顕微イメージを得ることができる（ポンプ波長１以上、プローブ波長１つ）。
【００２６】
上記（１）〜（４）の測定モードの２つ以上を組み合わせて、多モードの同時測定を実現する。例えば、（１）と（２）と（３）の同時測定、（１）と（３）の同時測定、（１）と（４）の同時測定、（２）と（３）の同時測定、（２）と（４）の同時側などである。光熱屈折率変化測定（ＰＴＭ）法や誘導放出寿命（ＳＬＩＭ）法では、ポンプ光の波長を２以上用いることで、異なる屈折率変化や、異なる寿命を同時に観測できる。この場合は、光源１１−１〜１１−５のうち２つ以上をポンプ光源として用いてもよい。
【００２７】
図１の光学測定装置１のうち、試料１０の透過プローブ光は、誘導放出利得（ＳＥＩＧ）と、光熱屈折率変化と、誘導放出寿命（ＳＬＩＭ）の観測に用いることができる。試料１０からの戻りプローブ光は、蛍光強度減少（ＳＥＩＦＩＲ）と、光熱屈折率変化の観測に用いることができる。戻りプローブ光をＰＴＭに用いるときは、光電変換された電気信号を、自動バランス検出器３０経由でロックイン検出する。戻りプローブ光をＳＥＩＦＩＲに用いるときは、ＰＭＴ３７で検出され光電変換された信号を、自動バランス検出器３０を介さずに、ロックイン検出する。
【００２８】
上記（１）、（３）、（４）の場合も、ポンプ光と、各波長のプローブ光を掛け合わせた信号がロックイン増幅器３２で検出される。ポンプ光と各プローブ光は、それぞれ異なる変調周波数で強度変調されているので、検出されるのはポンプ光と各プローブ光のビート周波数である。ポンプ光の変調周波数ｆｐｕ、各プローブ光の変調周波数ｆｐｒ１、ｆｐｒ２、ｆｐｒ３、ｆｐｒ４を用いる場合、たとえば、ロックイン増幅器３２−１では（ｆｐｕ−ｆｐｒ１）のビート周波数（差周波数）が検出される。ロックイン増幅器３２−２では（ｆｐｕ−ｆｐｒ２）のビート周波数が、ロックイン増幅器３２−３では（ｆｐｕ−ｆｐｒ３）のビート周波数が、ロックイン増幅器３２−４では（ｆｐｕ−ｆｐｒ４）のビート周波数が検出される。それぞれ異なるビート周波数が位相検波されるので、クロストークをノイズ以下に低減することができる。
【００２９】
図２は、誘導放出に伴う物理現象を説明する図である。試料１０の分子は、ポンプ光の照射によって基底状態Ｓ０から励起一重項状態Ｓ１に励起される。励起された分子は、時間とともに状態が変化する。振動緩和による状態Ｓ１から状態Ｓ１＊への遷移（光分解反応）や、自然放出後の状態Ｓ０＊からＳ０への遷移（熱分解）、光の放出なしに励起状態Ｓ１から基底状態Ｓ０へ戻る非輻射失活（熱発生）が起きる。試料１０に生じるこれらの分解反応や非輻射失活は従来技術の問題点であったが、実施形態では、ポンプ光と同時または直後にプローブ光を入射することで、光反応が生じる時間を与えずに、励起エネルギーを光として放出させる。
【００３０】
ポンプ光で励起された分子がプローブ光による刺激で光を放出する場合が誘導放出である。この誘導放出により、測定モード（１）の誘導放出利得（ＳＥＩＧ）や、測定モード（４）の誘導放出寿命（ＳＬＩＭ）が観測される。励起された分子はまた、外部刺激なしに自然に低準位へと遷移して光を放出する。これが自然放出であり、測定モード（２）の蛍光強度減少（ＳＥＩＦＩＲ）の観測に用いられる。
【００３１】
他方、フォトサーマル効果は、光エネルギーを効率よく熱に変換する過程であり、ポンプ光を吸収した分子が発する熱による屈折率変化を、プローブ光の透過率変化として測定する。
【００３２】
図３は、実施形態の解像特性を従来の光学顕微鏡と比較して示す図である。実施形態のポンプ−プローブ誘導放出では、ポンプ光とプローブ光の強度の積により、シャープな強度分布を得ることができる。強度の積を取ることで、ピーク領域が支配的になりサイドローブは抑制される。ガウス関数とすると、その空間的広がりの幅は、１／√２に狭めることができる。半値全幅でいうと、約０．６倍に低減でき、解像度は１，６倍に向上する。このようなポンプ−プローブ光の結像する１点で蛍光を得る共焦点ＳＥＩＦＩＲにより、光ビームの回折限界値０．５１λ／ＮＡ＝３４４ｎｍと比較して、１／２．１倍に小さくできる。規格化空間周波数［ＮＡ／λ］でいうと約２．１倍に空間周波数幅を広げることができる。
【００３３】
図４は、二色プローブによるアンミクシング（蛍光分離）を示す。実施形態の光学測定装置１の光源１１−１〜１１−５は単色レーザーを用いるので、各プローブ光のスペクトル幅は非常に小さい（２ｎｍ未満）。異なる蛍光スペクトルＦ１、Ｆ２の分離にバンドパスフィルタを用いる場合（フィルタ帯域を破線で示す）、短波長側と長波長側で２つの蛍光の強度比（Ｐ１／Ｐ２）が異なり、誤差や不確定性が含まれる。これに対し、スペクトル幅の非常に小さい単色レーザー光では、２つの蛍光の強度比をほぼ一定として検出することができる。したがって、誤差や不確定性の少ない状態で、異なる蛍光を正確に分離することができる。
【００３４】
図５は、図１の光学測定装置１の誘導放出顕微イメージである。左側が誘導放出利得（ＳＥＩＧ）により得られたマウス神経細胞の画像、右側が光熱屈折率変化測定（ＰＴＭ）により得られた脳スライスの光熱イメージである。観察領域はともに２５０μｍ×２５０μｍ、ピクセル当たりの滞在時間は１ｍｓ、ロックイン増幅器３２の時定数は０．５ｍｓである。
【００３５】
図６は、図１の光学測定装置１の蛍光強度減少測定（ＳＥＩＦＩＲ）による顕微イメージ（Ａ）を、従来の蛍光イメージ（Ｂ）と比較して示す図である。２つの画像の破線で示す位置での断面強度をグラフ（Ｃ）に示す。ＳＥＩＦＩＲ法によると、各位置での分子の存在を明確に捉えることができる。
【００３６】
図７は、図１の光学測定装置１の熱屈折率変化測定（ＰＴＭ）法による三次元イメージである。試料を光軸に沿って（Ｚ方向に）少しずつずらしてポンプ−プローブ光の２次元走査を繰り返すことで、厚さのある試料の三次元イメージングが可能である。画像（Ａ）はミトコンドリアの三次元イメージ、画像（Ｂ）はウサギ腎臓の三次元イメージである。
【００３７】
図８は、光熱屈折率変化測定（ＰＴＭ）法による同時多色イメージング画像（Ａ）を、従来の顕微鏡による明視野像（Ｂ）と比較して示す。両画像ともに、ヘマトキシリンとエオジンで染色（Ｈ＆Ｅ染色）されたウサギ卵巣の同一部位を示す。ヘマトキシリンで細胞核を青紫色で染色し、エオジンでその他の部位を異なる濃さの紅色に染める。複数波長のポンプ光で異なる熱屈折変化を起こすことで、左図のように鮮明なイメージを得ることができる。
【００３８】
このように、実施形態の光学測定装置１は、ポンプ−プローブ法による光劣化を最小限に抑え、クロストークが低減されたリアルタイムの同時多色測定を可能にする。複数の単色レーザーを光源１１−１〜１１−５に用いて多モード化することで、蛍光ラベルされた部位、自家蛍光の部位、無蛍光の部位など、様々な部位を同時にイメージングできる。複数のシグナル分子やタンパク質の挙動を同時に分析することができる。また、波長の近い蛍光信号を分離することができる。
【００３９】
図９は、光学測定装置１により測定される対象物と、使用モード（ＳＥＩＧモード（１）、ＳＥＩＦＩＲモード（２）、ＰＴＭモード（３）、及びＳＬＩＭモード（４））を示す。モード（１）、（２）及び（４）では、緑色蛍光タンパク質（ＧＦＰ：Green Fluorescent Protein）などの蛍光タンパク質、量子ドット・蛍光色素標識タンパク質、蛍光標識代謝産物、抗体などの蛍光性物質を観測することができる。
【００４０】
ＰＴＭモード（３）では、ヘム蛋白、メラニン、血管、赤血球、ミトコンドリアなどの非蛍光性物質や、種々の染色性細胞を測定することができる。
【００４１】
光学測定装置１のマルチモード測定で、例えば、がん細胞（発光）の増殖と、血管（非発光）の新生を同時観測することができる。具体的には、ＧＦＰ等で蛍光標識されたがん細胞をＳＥＩＦＩＲモード（２）でイメージングし、同時に、このがん細胞の近辺の新生血管をＰＴＭモード（３）によるヘモグロビンの酸素飽和度分布測定でイメージングすることができる。これにより、がん細胞と、がん細胞へ血流を供給するために増勢する血管の空間分布形状を同時に計測、観測できる。
【００４２】
ＰＴＭ法では、蛍光を発しない物質も観察可能であり、標識なしにイメージングを行うことができる。たとえば、皮膚のメラノーマ（非発光性）転移を引き起こす生検を避けて非侵襲の診断用観察が可能となる。無蛍光性分子や弱蛍光性分子は科学的にも安定で、蛍光色素のような褪色の問題が少ないため、長時間測定に有利である。
【００４３】
実施形態の光学測定装置１によると、同一の顕微光学系で、ポンプ光照射により励起された試料分子等に誘起される複数の物理現象の組み合わせを同時測定することができ、測定の高速化、相関的挙動の同時観測が実現する。
【符号の説明】
【００４４】
１  光学測定装置
２  測定部
３  制御部
４  画像処理部
５  モード選択部
１０  試料
１１−１〜１１−５  光源
１５  ビームコンバイナ
２５  ビームカプラ
３０−１〜３０−４  自動バランス検出器
３２−１〜３２−４  ロックイン増幅器
４０  走査光学系
【図１】
2017036925.tif 000003
【図２】
2017036925.tif 000004
【図３】
2017036925.tif 000005
【図４】
2017036925.tif 000006
【図９】
2017036925.tif 000007
【図５】
2017036925.tif 000008
【図６】
2017036925.tif 000009
【図７】
2017036925.tif 000010
【図８】
2017036925.tif 000011